(57)【特許請求の範囲】
【請求項１】
電力需要施設に用いられる需要家装置であって、
節電イベントを示すイベント情報を電力系統側から取得する系統側取得部と、
前記系統側取得部によって取得された前記イベント情報に基づくイベント通知を前記電力需要施設における機器に与える機器側通知部と、
前記イベント通知の示す節電イベントへの参加の有無を示す応答通知を前記機器から取得する機器側取得部と、
前記機器側取得部によって取得された前記応答通知に基づいて、前記イベント情報の示す節電イベントへの参加の有無を判断する判断部と、
前記判断部による判断結果を示す応答情報を前記電力系統側に通知する系統側通知部とを備える、需要家装置。
【請求項２】
前記イベント情報は、前記電力需要施設における電力消費の抑制目標を含み、
前記判断部は、前記イベント情報および前記応答通知に基づいて前記抑制目標の達成の可否を判断し、判断結果に基づいて前記イベント情報の示す節電イベントへの参加の有無を判断する、請求項１に記載の需要家装置。
【請求項３】
前記機器側取得部は、前記イベント通知の示す節電イベントの期間における前記機器の電力消費の抑制内容の予測を含む前記応答通知を取得し、
前記判断部は、前記イベント情報および前記応答通知に基づいて前記イベント情報の示す節電イベントへの参加の有無を判断する、請求項２に記載の需要家装置。
【請求項４】
前記イベント情報は、電力料金プランを含み、
前記判断部は、前記イベント情報に含まれる前記電力料金プランを選択する場合の前記電力需要施設における電力料金の方が前記電力料金プランを選択しない場合の前記電力需要施設における電力料金よりも安くなる場合、前記イベント情報の示す前記節電イベントへの参加を決定する、請求項１に記載の需要家装置。
【請求項５】
前記判断部は、複数の前記機器からの前記応答通知の示す前記参加の有無の多数決により前記イベント情報の示す節電イベントへの参加の有無を判断する、請求項１に記載の需要家装置。
【請求項６】
前記需要家装置は、さらに、
前記イベント情報の示す節電イベントへの参加の有無に関する入力を受け付ける受付部を含み、
前記系統側通知部は、前記イベント通知の示す前記節電イベントに参加する前記機器の数と、前記節電イベントに参加しない前記機器の数とが同じ場合、前記受付部によって受け付けられた前記入力に基づいて前記イベント情報に対する応答情報を前記電力系統側に通知する、請求項５に記載の需要家装置。
【請求項７】
前記複数の機器には重みが付与され、
前記判断部は、前記イベント通知の示す前記節電イベントに参加する前記機器に付与された重み、および前記イベント通知の示す前記節電イベントに参加しない前記機器に付与された重みに基づいて、前記イベント情報の示す節電イベントへの参加の有無を判断する、請求項１に記載の需要家装置。
【請求項８】
電力需要施設に用いられる需要家装置であって、
節電イベントを示すイベント情報を電力系統側から取得する系統側取得部と、
前記系統側取得部によって取得された前記イベント情報に基づくイベント通知を前記電力需要施設における機器に与える機器側通知部と、
前記イベント通知の示す節電イベントへの参加の有無を示す応答通知を前記機器から取得する機器側取得部と、
前記機器側取得部によって取得された前記応答通知の内容を出力する制御を行う出力制御部と、
前記イベント情報の示す節電イベントへの参加の有無に関する入力を受け付ける受付部と、
前記受付部によって受け付けられた前記入力に基づいて、前記イベント情報に対する応答情報を前記電力系統側に通知する系統側通知部とを備える、需要家装置。
【請求項９】
電力需要施設に用いられる需要家装置における電力消費管理方法であって、
節電イベントを示すイベント情報を電力系統側から取得するステップと、
取得した前記イベント情報に基づくイベント通知を前記電力需要施設における機器に与えるステップと、
前記イベント通知の示す節電イベントへの参加の有無を示す応答通知を前記機器から取得するステップと、
取得した前記応答通知に基づいて、前記イベント情報の示す節電イベントへの参加の有無を判断するステップと、
前記イベント情報の示す節電イベントへの参加の有無の判断結果を示す応答情報を前記電力系統側に通知するステップとを含む、電力消費管理方法。
【請求項１０】
電力需要施設に用いられる需要家装置における電力消費管理方法であって、
節電イベントを示すイベント情報を電力系統側から取得するステップと、
取得した前記イベント情報に基づくイベント通知を前記電力需要施設における機器に与えるステップと、
前記イベント通知の示す節電イベントへの参加の有無を示す応答通知を前記機器から取得するステップと、
取得した前記応答通知の内容を出力する制御を行うステップと、
前記イベント情報の示す節電イベントへの参加の有無に関する入力を受け付けるステップと、
受け付けた前記入力に基づいて、前記イベント情報に対する応答情報を前記電力系統側に通知するステップとを含む、電力消費管理方法。
【請求項１１】
電力需要施設に用いられる需要家装置において用いられる電力消費管理プログラムであって、コンピュータに、
節電イベントを示すイベント情報を電力系統側から取得するステップと、
取得した前記イベント情報に基づくイベント通知を前記電力需要施設における機器に与えるステップと、
前記イベント通知の示す節電イベントへの参加の有無を示す応答通知を前記機器から取得するステップと、
取得した前記応答通知に基づいて、前記イベント情報の示す節電イベントへの参加の有無を判断するステップと、
前記イベント情報の示す節電イベントへの参加の有無の判断結果を示す応答情報を前記電力系統側に通知するステップとを実行させるための、電力消費管理プログラム。
【請求項１２】
電力需要施設に用いられる需要家装置において用いられる電力消費管理プログラムであって、コンピュータに、
節電イベントを示すイベント情報を電力系統側から取得するステップと、
取得した前記イベント情報に基づくイベント通知を前記電力需要施設における機器に与えるステップと、
前記イベント通知の示す節電イベントへの参加の有無を示す応答通知を前記機器から取得するステップと、
取得した前記応答通知の内容を出力する制御を行うステップと、
前記イベント情報の示す節電イベントへの参加の有無に関する入力を受け付けるステップと、
受け付けた前記入力に基づいて、前記イベント情報に対する応答情報を前記電力系統側に通知するステップとを実行させるための、電力消費管理プログラム。
【発明の詳細な説明】
【技術分野】
【０００１】
本発明は、需要家装置、電力消費管理方法および電力消費管理プログラムに関し、特に、節電イベントに参加するか否かを通知する需要家装置、電力消費管理方法および電力消費管理プログラムに関する。
【背景技術】
【０００２】
従来、電力需給の逼迫時に一般家庭およびオフィス等の電力需要施設における電力消費が抑制されるように、電力需要施設における電力消費を管理するシステムが開発されている。
【０００３】
たとえば、電力需給の逼迫が予想される場合、電力会社等が、複数の電力需要施設の電力消費を管理する電力消費管理事業者へ電力消費の抑制を要請する。電力消費管理事業者は、電力会社等からの要請を受けると、自己と契約関係のある複数の電力需要施設における需要家装置へ節電イベントを通知する。節電イベントは、たとえば、電力需要施設において抑制すべき消費電力量および電力消費を抑制すべき期間を示す。
【０００４】
需要家装置は、電力消費管理事業者から節電イベントの通知を受けると、たとえば、節電イベントの内容を自己の電力需要施設における各電気機器へ通知する（たとえば、「ＡＰＰＥＮＤＩＸ  ＥＣＯＮＥＴ  機器オブジェクト詳細規定  Ｒｅｌｅａｓｅ  Ｇ」、エコーネットコンソーシアム、２０１５年５月２９日発行（非特許文献１）参照）。
【先行技術文献】
【特許文献】
【０００５】
【非特許文献１】「ＡＰＰＥＮＤＩＸ  ＥＣＯＮＥＴ  機器オブジェクト詳細規定  Ｒｅｌｅａｓｅ  Ｇ」、エコーネットコンソーシアム、２０１５年５月２９日発行
【発明の概要】
【発明が解決しようとする課題】
【０００６】
また、たとえば、需要家装置は、電力消費管理事業者から通知された節電イベントの示す抑制すべき電力消費量を自己の電力需要施設において達成可能と判断した場合、節電イベントに参加する、つまり自己の電力需要施設において各電気機器に節電イベントの内容に従った節電を行わせると決定し、決定した旨を電力消費管理事業者に通知する。
【０００７】
電力消費管理事業者は、各電力需要施設における需要家装置からの通知に基づいて、電力会社等からの要請に対応可能か否かを判断するため、各需要家装置には適切な判断が求められる。
【０００８】
この発明は、上述の課題を解決するためになされたもので、その目的は、節電イベントに参加するか否かをより的確に判断することが可能な需要家装置、電力消費管理方法および電力消費管理プログラムを提供することである。
【課題を解決するための手段】
【０００９】
（１）上記課題を解決するために、この発明のある局面に係る需要家装置は、電力需要施設に用いられる需要家装置であって、節電イベントを示すイベント情報を電力系統側から取得する系統側取得部と、前記系統側取得部によって取得された前記イベント情報に基づくイベント通知を前記電力需要施設における機器に与える機器側通知部と、前記イベント通知の示す節電イベントへの参加の有無を示す応答通知を前記機器から取得する機器側取得部と、前記機器側取得部によって取得された前記応答通知に基づいて、前記イベント情報の示す節電イベントへの参加の有無を判断する判断部と、前記判断部による判断結果を示す応答情報を前記電力系統側に通知する系統側通知部とを備える。
【００１０】
（８）また、この発明の別の局面に係る需要家装置は、電力需要施設に用いられる需要家装置であって、節電イベントを示すイベント情報を電力系統側から取得する系統側取得部と、前記系統側取得部によって取得された前記イベント情報に基づくイベント通知を前記電力需要施設における機器に与える機器側通知部と、前記イベント通知の示す節電イベントへの参加の有無を示す応答通知を前記機器から取得する機器側取得部と、前記機器側取得部によって取得された前記応答通知の内容を出力する制御を行う出力制御部と、前記イベント情報の示す節電イベントへの参加の有無に関する入力を受け付ける受付部と、前記受付部によって受け付けられた前記入力に基づいて、前記イベント情報に対する応答情報を前記電力系統側に通知する系統側通知部とを備える。
【００１１】
（９）上記課題を解決するために、この発明のある局面に係る電力消費管理方法は、電力需要施設に用いられる需要家装置における電力消費管理方法であって、節電イベントを示すイベント情報を電力系統側から取得するステップと、取得した前記イベント情報に基づくイベント通知を前記電力需要施設における機器に与えるステップと、前記イベント通知の示す節電イベントへの参加の有無を示す応答通知を前記機器から取得するステップと、取得した前記応答通知に基づいて、前記イベント情報の示す節電イベントへの参加の有無を判断するステップと、前記イベント情報の示す節電イベントへの参加の有無の判断結果を示す応答情報を前記電力系統側に通知するステップとを含む。
【００１２】
（１０）また、この発明の別の局面に係る電力消費管理方法は、電力需要施設に用いられる需要家装置における電力消費管理方法であって、節電イベントを示すイベント情報を電力系統側から取得するステップと、取得した前記イベント情報に基づくイベント通知を前記電力需要施設における機器に与えるステップと、前記イベント通知の示す節電イベントへの参加の有無を示す応答通知を前記機器から取得するステップと、取得した前記応答通知の内容を出力する制御を行うステップと、前記イベント情報の示す節電イベントへの参加の有無に関する入力を受け付けるステップと、受け付けた前記入力に基づいて、前記イベント情報に対する応答情報を前記電力系統側に通知するステップとを含む。
【００１３】
（１１）上記課題を解決するために、この発明のある局面に係る電力消費管理プログラムは、電力需要施設に用いられる需要家装置において用いられる電力消費管理プログラムであって、コンピュータに、節電イベントを示すイベント情報を電力系統側から取得するステップと、取得した前記イベント情報に基づくイベント通知を前記電力需要施設における機器に与えるステップと、前記イベント通知の示す節電イベントへの参加の有無を示す応答通知を前記機器から取得するステップと、取得した前記応答通知に基づいて、前記イベント情報の示す節電イベントへの参加の有無を判断するステップと、前記イベント情報の示す節電イベントへの参加の有無の判断結果を示す応答情報を前記電力系統側に通知するステップとを実行させるためのプログラムである。
【００１４】
（１２）また、この発明の別の局面に係る電力消費管理プログラムは、電力需要施設に用いられる需要家装置において用いられる電力消費管理プログラムであって、コンピュータに、節電イベントを示すイベント情報を電力系統側から取得するステップと、取得した前記イベント情報に基づくイベント通知を前記電力需要施設における機器に与えるステップと、前記イベント通知の示す節電イベントへの参加の有無を示す応答通知を前記機器から取得するステップと、取得した前記応答通知の内容を出力する制御を行うステップと、前記イベント情報の示す節電イベントへの参加の有無に関する入力を受け付けるステップと、受け付けた前記入力に基づいて、前記イベント情報に対する応答情報を前記電力系統側に通知するステップとを実行させるためのプログラムである。
【００１５】
本発明は、このような特徴的な処理部を備える需要家装置として実現することができるだけでなく、需要家装置の一部または全部を実現する半導体集積回路として実現したり、需要家装置を含むシステムとして実現したりすることができる。
【発明の効果】
【００１６】
本発明によれば、節電イベントに参加するか否かをより的確に判断することができる。
【図面の簡単な説明】
【００１７】
【図１】図１は、本発明の第１の実施の形態に係る電力消費管理システムの概要を説明するための図である。
【図２】図２は、本発明の第１の実施の形態に係る電力消費管理システムの構成を示す図である。
【図３】図３は、本発明の第１の実施の形態に係る電力消費管理システムにおける電力消費管理処理のシーケンスの一例を示す図である。
【図４】図４は、本発明の第１の実施の形態に係る電力消費管理システムにおける電力消費管理処理のシーケンスの他の例を示す図である。
【図５】図５は、本発明の第１の実施の形態に係る需要家装置の構成を示す図である。
【図６】図６は、本発明の第２の実施の形態に係る電力消費管理システムにおける電力消費管理処理のシーケンスの一例を示す図である。
【図７】図７は、本発明の第３の実施の形態に係る電力消費管理システムにおけるイベント情報の内容を示す図である。
【図８】図８は、本発明の第４の実施の形態に係る電力消費管理システムにおける電力消費管理処理のシーケンスの一例を示す図である。
【発明を実施するための形態】
【００１８】
最初に、本発明の実施の形態の内容を列記して説明する。
【００１９】
（１）本発明の実施の形態に係る需要家装置は、電力需要施設に用いられる需要家装置であって、節電イベントを示すイベント情報を電力系統側から取得する系統側取得部と、前記系統側取得部によって取得された前記イベント情報に基づくイベント通知を前記電力需要施設における機器に与える機器側通知部と、前記イベント通知の示す節電イベントへの参加の有無を示す応答通知を前記機器から取得する機器側取得部と、前記機器側取得部によって取得された前記応答通知に基づいて、前記イベント情報の示す節電イベントへの参加の有無を判断する判断部と、前記判断部による判断結果を示す応答情報を前記電力系統側に通知する系統側通知部とを備える。
【００２０】
このような構成により、電力需要施設において設置された機器の節電イベントへの参加または不参加の判断結果を用いて、電力需要施設の節電イベントへの参加または不参加を判断することができる。具体的には、たとえば、節電イベントに参加すると判断した機器の数または種類等に基づいて電力需要施設の節電イベントへの参加または不参加を決定することができる。したがって、節電イベントに参加するか否かをより的確に判断することができる。
【００２１】
（２）好ましくは、前記イベント情報は、前記電力需要施設における電力消費の抑制目標を含み、前記判断部は、前記イベント情報および前記応答通知に基づいて前記抑制目標の達成の可否を判断し、判断結果に基づいて前記イベント情報の示す節電イベントへの参加の有無を判断する。
【００２２】
このような構成により、たとえば、節電イベントに参加すると判断した機器における電力の抑制量が電力消費の抑制目標に達すると予測される場合に電力需要施設を節電イベントに参加させることができるため、節電イベントに参加するか否かをより的確に判断することができる。
【００２３】
（３）より好ましくは、前記機器側取得部は、前記イベント通知の示す節電イベントの期間における前記機器の電力消費の抑制内容の予測を含む前記応答通知を取得し、前記判断部は、前記イベント情報および前記応答通知に基づいて前記イベント情報の示す節電イベントへの参加の有無を判断する。
【００２４】
このような構成により、たとえば、機器によって予測された、当該機器における電力消費の抑制量から電力消費の抑制目標を達成できるか否かを判断することができるため、節電イベントに参加するか否かをより的確に判断することができる。
【００２５】
（４）好ましくは、前記イベント情報は、電力料金プランを含み、前記判断部は、前記イベント情報に含まれる前記電力料金プランを選択する場合の前記電力需要施設における電力料金の方が前記電力料金プランを選択しない場合の前記電力需要施設における電力料金よりも安くなる場合、前記イベント情報の示す前記節電イベントへの参加を決定する。
【００２６】
このような構成により、電力需要施設を節電イベントに参加させるか否かを経済的な観点から決定することができる。
【００２７】
（５）好ましくは、前記判断部は、複数の前記機器からの前記応答通知の示す前記参加の有無の多数決により前記イベント情報の示す節電イベントへの参加の有無を判断する。
【００２８】
このような構成により、節電イベントに参加しないと判断した機器より節電イベントに参加すると判断した機器の方が多いという適切な場合において、電力需要施設を節電イベントに参加させることができる。
【００２９】
（６）より好ましくは、前記需要家装置は、さらに、前記イベント情報の示す節電イベントへの参加の有無に関する入力を受け付ける受付部を含み、前記系統側通知部は、前記イベント通知の示す前記節電イベントに参加する前記機器の数と、前記節電イベントに参加しない前記機器の数とが同じ場合、前記受付部によって受け付けられた前記入力に基づいて前記イベント情報に対する応答情報を前記電力系統側に通知する。
【００３０】
このような構成により、節電イベントへの参加の有無の多数決では当該参加の有無を判断できない場合に、電力需要施設を節電イベントに参加させるか否かを需要家の意思により決定することができる。
【００３１】
（７）好ましくは、前記複数の機器には重みが付与され、前記判断部は、前記イベント通知の示す前記節電イベントに参加する前記機器に付与された重み、および前記イベント通知の示す前記節電イベントに参加しない前記機器に付与された重みに基づいて、前記イベント情報の示す節電イベントへの参加の有無を判断する。
【００３２】
このような構成により、たとえば、消費電力に応じて各機器に付与された重みを用いて、節電イベントに参加するか否かをより的確に判断することができる。
【００３３】
（８）本発明の実施の形態に係る需要家装置は、電力需要施設に用いられる需要家装置であって、節電イベントを示すイベント情報を電力系統側から取得する系統側取得部と、前記系統側取得部によって取得された前記イベント情報に基づくイベント通知を前記電力需要施設における機器に与える機器側通知部と、前記イベント通知の示す節電イベントへの参加の有無を示す応答通知を前記機器から取得する機器側取得部と、前記機器側取得部によって取得された前記応答通知の内容を出力する制御を行う出力制御部と、前記イベント情報の示す節電イベントへの参加の有無に関する入力を受け付ける受付部と、前記受付部によって受け付けられた前記入力に基づいて、前記イベント情報に対する応答情報を前記電力系統側に通知する系統側通知部とを備える。
【００３４】
このような構成により、需要家が、節電イベントに参加すると判断した機器と節電イベントに参加しないと判断した機器とを確認した上で、電力需要施設を節電イベントに参加させるか否かを決定することができる。したがって、節電イベントに参加するか否かをより的確に判断することができる。
【００３５】
（９）本発明の実施の形態に係る電力消費管理方法は、電力需要施設に用いられる需要家装置における電力消費管理方法であって、節電イベントを示すイベント情報を電力系統側から取得するステップと、取得した前記イベント情報に基づくイベント通知を前記電力需要施設における機器に与えるステップと、前記イベント通知の示す節電イベントへの参加の有無を示す応答通知を前記機器から取得するステップと、取得した前記応答通知に基づいて、前記イベント情報の示す節電イベントへの参加の有無を判断するステップと、前記イベント情報の示す節電イベントへの参加の有無の判断結果を示す応答情報を前記電力系統側に通知するステップとを含む。
【００３６】
このような方法により、電力需要施設において設置された機器の節電イベントへの参加または不参加の判断結果を用いて、電力需要施設の節電イベントへの参加または不参加を判断することができる。具体的には、たとえば、節電イベントに参加すると判断した機器の数または種類等に基づいて電力需要施設の節電イベントへの参加または不参加を決定することができる。したがって、節電イベントに参加するか否かをより的確に判断することができる。
【００３７】
（１０）本発明の実施の形態に係る電力消費管理方法は、電力需要施設に用いられる需要家装置における電力消費管理方法であって、節電イベントを示すイベント情報を電力系統側から取得するステップと、取得した前記イベント情報に基づくイベント通知を前記電力需要施設における機器に与えるステップと、前記イベント通知の示す節電イベントへの参加の有無を示す応答通知を前記機器から取得するステップと、取得した前記応答通知の内容を出力する制御を行うステップと、前記イベント情報の示す節電イベントへの参加の有無に関する入力を受け付けるステップと、受け付けた前記入力に基づいて、前記イベント情報に対する応答情報を前記電力系統側に通知するステップとを含む。
【００３８】
このような方法により、需要家が、節電イベントに参加すると判断した機器と節電イベントに参加しないと判断した機器とを確認した上で、電力需要施設を節電イベントに参加させるか否かを決定することができる。したがって、節電イベントに参加するか否かをより的確に判断することができる。
【００３９】
（１１）本発明の実施の形態に係る電力消費管理プログラムは、電力需要施設に用いられる需要家装置において用いられる電力消費管理プログラムであって、コンピュータに、節電イベントを示すイベント情報を電力系統側から取得するステップと、取得した前記イベント情報に基づくイベント通知を前記電力需要施設における機器に与えるステップと、前記イベント通知の示す節電イベントへの参加の有無を示す応答通知を前記機器から取得するステップと、取得した前記応答通知に基づいて、前記イベント情報の示す節電イベントへの参加の有無を判断するステップと、前記イベント情報の示す節電イベントへの参加の有無の判断結果を示す応答情報を前記電力系統側に通知するステップとを実行させるためのプログラムである。
【００４０】
このような構成により、電力需要施設において設置された機器の節電イベントへの参加または不参加の判断結果を用いて、電力需要施設の節電イベントへの参加または不参加を判断することができる。具体的には、たとえば、節電イベントに参加すると判断した機器の数または種類等に基づいて電力需要施設の節電イベントへの参加または不参加を決定することができる。したがって、節電イベントに参加するか否かをより的確に判断することができる。
【００４１】
（１２）本発明の実施の形態に係る電力消費管理プログラムは、電力需要施設に用いられる需要家装置において用いられる電力消費管理プログラムであって、コンピュータに、節電イベントを示すイベント情報を電力系統側から取得するステップと、取得した前記イベント情報に基づくイベント通知を前記電力需要施設における機器に与えるステップと、
前記イベント通知の示す節電イベントへの参加の有無を示す応答通知を前記機器から取得するステップと、取得した前記応答通知の内容を出力する制御を行うステップと、前記イベント情報の示す節電イベントへの参加の有無に関する入力を受け付けるステップと、
受け付けた前記入力に基づいて、前記イベント情報に対する応答情報を前記電力系統側に通知するステップとを実行させるためのプログラムである。
【００４２】
このような構成により、需要家が、節電イベントに参加すると判断した機器と節電イベントに参加しないと判断した機器とを確認した上で、電力需要施設を節電イベントに参加させるか否かを決定することができる。したがって、節電イベントに参加するか否かをより的確に判断することができる。
【００４３】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００４４】
＜第１の実施の形態＞
［構成および基本動作］
図１は、本発明の第１の実施の形態に係る電力消費管理システムの概要を説明するための図である。
【００４５】
図１は、電力の安定供給を図る仕組みであるデマンドレスポンス（ＤＲ：Ｄｅｍａｎｄ  Ｒｅｓｐｏｎｓｅ）の一例を示している。具体的には、図１を参照して、たとえば、電力会社１１は、電力需給が逼迫するおそれのある日の前日にアグリゲータ１２に電力消費の抑制要請を行う（ステップＳ１）。アグリゲータ１２は、電力会社１１から電力消費の抑制要請を受けると、自己と契約関係にある複数の需要家１０に電力消費の抑制要請を行う（ステップＳ２）。
【００４６】
アグリゲータ１２から電力消費の抑制要請を受けた需要家１０が自己の電力需要施設において電力消費の抑制を行うと、アグリゲータ１２にネガワットすなわち抑制された消費電力が提供される（ステップＳ３）。アグリゲータ１２は、各需要家１０から提供されたネガワットをまとめて電力会社１１へ提供する（ステップＳ４）。
【００４７】
電力会社１１は、アグリゲータ１２からネガワットを受け取ると、たとえばネガワットの大きさに応じた対価をアグリゲータ１２へ支払う（ステップＳ５）。アグリゲータ１２は、電力会社１１から受け取った対価を各需要家へ分配する（ステップＳ６）。
【００４８】
このように、当該電力消費管理システムでは、需要家１０に電力消費の抑制の対価を与えることにより、需要家１０に電力消費の抑制の実施を促すことができる。
【００４９】
［システムの構成］
図２は、本発明の第１の実施の形態に係る電力消費管理システムの構成を示す図である。
【００５０】
図２を参照して、電力消費管理システム１０１は、電力会社装置２１と、電力消費管理装置２２と、複数の需要家装置３１と、複数の機器３２とを備える。
【００５１】
電力会社装置２１は、たとえば電力会社１１によって運用されるサーバであり、たとえばインターネットであるネットワーク８経由で電力消費管理装置２２に接続される。
【００５２】
電力消費管理装置２２は、たとえばアグリゲータ１２によって運営されるサーバであり、ネットワーク８経由で各需要家装置３１に接続される。需要家装置３１は、たとえば、ＨＥＭＳ（Ｈｏｍｅ  Ｅｎｅｒｇｙ  Ｍａｎａｇｅｍｅｎｔ  Ｓｙｓｔｅｍ）またはＢＥＭＳ（Ｂｕｉｌｄｉｎｇ  Ｅｎｅｒｇｙ  Ｍａｎａｇｅｍｅｎｔ  ＳｙＳｔｅｍ）において用いられるゲートウェイ装置である。
【００５３】
各電力需要施設１３において、需要家装置３１および複数の機器３２が設置される。需要家１０は、たとえば、需要家装置３１のユーザであり、電力需要施設１３を管理する。なお、需要家装置３１は、電力需要施設１３において設置される構成に限らず、たとえば電力需要施設１３から離れた場所に設置される構成であってもよい。
【００５４】
機器３２は、たとえば、空調機器、照明機器、冷蔵庫、発電機、給湯器または蓄電池等である。機器３２は、需要家装置３１と接続されており、需要家装置３１と通信することができる。また、機器３２は、たとえば、通常運転、および電力消費を抑制しながら動作する節電運転のいずれか一方を選択的に行うことができる。また、機器３２は、たとえば、自己の通常運転時の消費電力の履歴、および自己の節電運転時の消費電力の履歴等を記憶しており、記憶しているこれらの情報に基づいて各種判断および情報の作成を行う。
【００５５】
需要家装置３１は、たとえばＥＭＳ（Ｅｎｅｒｇｙ  Ｍａｎａｇｅｍｅｎｔ  Ｓｙｓｔｅｍ）において用いられるゲートウェイ装置である。
【００５６】
電力会社１１は、たとえば、アグリゲータ１２への電力消費の抑制要請として、電力会社装置２１から電力消費管理装置２２へ要請情報を送信する。要請情報は、電力消費の抑制量の目標、および電力消費を抑制すべき対象期間つまり節電対象期間を示す。
【００５７】
電力消費管理装置２２は、電力会社装置２１から要請情報を受信すると、各需要家１０への電力消費の抑制要請として、各電力需要施設１３の需要家装置３１へイベント情報を送信する。イベント情報は、節電イベントを示す情報である。たとえば、イベント情報は、節電イベントの内容として、節電対象期間、および当該節電対象期間に電力需要施設１３において抑制すべき電力消費の目標である抑制目標を示す。
【００５８】
具体的には、たとえば、イベント情報は、抑制目標として、電力需要施設１３の通常の消費電力量に対する、抑制すべき消費電力量の割合を含む。
【００５９】
なお、イベント情報は、抑制目標として、電力需要施設１３において抑制すべき消費電力量を含んでもよいし、電力需要施設１３において許容される消費電力量の上限値を含んでもよい。また、抑制目標は、電力量に限らず電力で規定されてもよい。
【００６０】
電力消費管理装置２２は、たとえば、電力需要施設１３における通常の電力消費量および電力会社装置２１から受信した要請情報の示す抑制目標に基づいて、イベント情報を作成する。
【００６１】
［動作］
次に、本発明の第１の実施の形態に係る電力消費管理システムにおける電力消費管理処理について説明する。
【００６２】
電力消費管理システム１０１における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００６３】
図３は、本発明の第１の実施の形態に係る電力消費管理システムにおける電力消費管理処理のシーケンスの一例を示す図である。
【００６４】
この例では、電力消費管理システム１０１は、電力需要施設１３における機器３２として、機器３２Ａ，３２Ｂ，３２Ｃを備える。
【００６５】
図３を参照して、まず、電力消費管理装置２２は、電力会社装置２１から要請情報を受信すると（ステップＳ１１）、受信した要請情報に基づいてイベント情報を作成し、作成したイベント情報を需要家装置３１へ送信する（ステップＳ１２）。
【００６６】
次に、需要家装置３１は、電力消費管理装置２２からイベント情報を受信して、受信したイベント情報の内容を示す通知であるイベント通知を機器３２Ａ，３２Ｂ，３２Ｃへ送信する（ステップＳ１３〜Ｓ１５）。
【００６７】
次に、機器３２Ａ，３２Ｂ，３２Ｃは、需要家装置３１からイベント通知を受信して、受信したイベント通知に基づいて判断処理Ｉを行う（ステップＳ１６〜Ｓ１８）。具体的には、機器３２Ａ，３２Ｂ，３２Ｃは、判断処理Ｉとして、需要家装置３１から受信したイベント通知の示す節電イベントの内容を確認し、当該節電イベントの内容に沿って電力消費を抑制するか否か、すなわち当該節電イベントに参加するか否かの判断を行う。
【００６８】
たとえば、機器３２Ａ，３２Ｂ，３２Ｃは、需要家１０が予め登録した動作設定等に基づいて当該判断を行う。具体的には、たとえば、機器３２Ａは、節電対象期間が、需要家１０が予め登録した時間帯に含まれる場合、イベント通知の示す節電イベントに参加すると判断する。
【００６９】
なお、需要家装置３１が電力消費管理装置２２から受信したイベント情報の示す節電イベントの内容と、電力消費管理装置２２が機器３２へ送信するイベント通知の示す節電イベントの内容とは同じであってもよいし、異なっていてもよい。
【００７０】
たとえば、需要家装置３１は、イベント情報の示す節電イベントの内容および各機器３２の通常の消費電力に基づいて、機器３２ごとに節電イベントを設定する。需要家装置３１は、機器３２ごとに対応の節電イベントを示す節電通知を作成する。そして、需要家装置３１は、作成した節電通知を対応の機器３２へ送信する。
【００７１】
次に、機器３２Ａ，３２Ｂ，３２Ｃは、需要家装置３１から受信したイベント通知の示す節電イベントへの参加の有無を示す応答通知を需要家装置３１へ送信する（ステップＳ１９〜２１）。この例では、機器３２Ａ，３２Ｃは、節電イベントに参加する旨の応答通知を送信し、機器３２Ｂは、節電イベントに参加しない旨の応答通知を送信する。
【００７２】
以下、節電イベントに参加する旨の応答情報を送信した機器３２を参加機器Ｐとも称し、
節電イベントに参加しない旨の応答情報を送信した機器３２を不参加機器Ｎとも称する。
【００７３】
次に、需要家装置３１は、機器３２Ａ，３２Ｂ，３２Ｃから応答通知を受信して、判断処理Ｇを行う（ステップＳ２２）。具体的には、需要家装置３１は、判断処理Ｇとして、機器３２Ａ，３２Ｂ，３２Ｃから受信した応答情報の内容を確認し、電力消費管理装置２２から受信したイベント情報の示す抑制目標を節電対象期間において達成可能か否かの判断を行う。
【００７４】
たとえば、需要家装置３１は、機器３２Ａ，３２Ｂ，３２Ｃの各々の通常運転時の消費電力および節電運転時の消費電力を記憶している。需要家装置３１は、節電イベントに参加する機器３２Ａ，３２Ｂが節電運転を行い、かつ節電イベントに参加しない機器３２Ｃが通常運転を行った場合の消費電力の合計値を算出し、算出した合計値に基づいて当該判断を行う。
【００７５】
次に、需要家装置３１は、イベント情報の示す節電イベントへの参加の有無を示す応答情報を電力消費管理装置２２へ送信する（ステップＳ２３）。この例では、需要家装置３１は、イベント情報の示す節電イベントに参加する旨、つまり電力需要施設１３を当該節電イベントに参加させる旨の応答情報を電力消費管理装置２２へ送信する。
【００７６】
需要家装置３１は、節電イベントに参加する旨の応答情報を電力消費管理装置２２へ送信することにより、電力需要施設１３において節電対象期間に抑制目標を達成する予定であることをアグリゲータ１２に通知する。
【００７７】
次に、需要家装置３１は、節電イベントへの参加を決定したことを示す参加通知を機器３２Ａ，３２Ｂ，３２Ｃへ送信する（ステップＳ２４〜Ｓ２６）。
【００７８】
次に、機器３２Ａ，３２Ｂ，３２Ｃは、需要家装置３１から参加通知を受信して、自己が参加機器Ｐであるか不参加機器Ｎであるかに応じて、節電対象期間における自己の動作内容を決定する。
【００７９】
具体的には、機器３２Ａ，３２Ｃは、参加機器Ｐであるため、節電対象期間において節電運転を行う（ステップＳ２７，Ｓ２８）。一方、機器３２Ｂは、不参加機器Ｎであるため、節電対象期間においても通常どおり動作し、節電運転を行わない。
【００８０】
図４は、本発明の第１の実施の形態に係る電力消費管理システムにおける電力消費管理処理のシーケンスの他の例を示す図である。
【００８１】
図４は、本発明の第１の実施の形態に係る電力消費管理システムにおける電力消費管理処理において、需要家装置が節電イベントに参加しない旨の応答情報を電力情報管理装置へ送信する場合について示している。
【００８２】
図４を参照して、ステップＳ１１１〜Ｓ１２１の動作は、図３に示すステップＳ１１〜２１の動作と同様である。
【００８３】
次に、需要家装置３１は、機器３２Ａ，３２Ｂ，３２Ｃから応答通知を受信して、判断処理Ｇを行う（ステップＳ１２２）。具体的には、需要家装置３１は、判断処理Ｇとして、機器３２Ａ，３２Ｂ，３２Ｃから受信した応答情報の内容を確認し、電力消費管理装置２２から受信したイベント情報の示す抑制目標を節電対象期間において達成可能か否かの判断を行う。
【００８４】
この例では、需要家装置３１は、イベント情報の示す抑制目標を節電対象期間において達成可能でないと判断する。需要家装置３１は、電力消費管理装置２２へ節電イベントに参加しない旨の応答情報を送信する（ステップＳ１２３）。
【００８５】
次に、需要家装置３１は、節電イベントに参加しないことを決定したことを示す不参加通知を機器３２Ａ，３２Ｂ，３２Ｃへ送信する（ステップＳ１２４〜Ｓ１２６）。
【００８６】
機器３２Ａ，３２Ｂ，３２Ｃは、需要家装置３１から不参加通知を受信すると、自己が参加機器Ｐであるか不参加機器Ｎであるかに関わらず、節電対象期間となっても節電運転を行わない。
【００８７】
図５は、本発明の第１の実施の形態に係る需要家装置の構成を示す図である。
【００８８】
図５を参照して、需要家装置３１は、系統側取得部４１と、処理部（判断部）４２と、機器側通知部４３と、系統側通知部４４と、機器側取得部４５と、出力制御部４６と、受付部４７と、表示部４８と、記憶部４９とを備える。
【００８９】
系統側取得部４１は、節電イベントを示すイベント情報を電力消費管理装置２２つまり
アグリゲータ１２から取得する。言い換えれば、系統側取得部４１は、節電イベントを示すイベント情報を電力会社１１側すなわち電力系統側から取得する。系統側取得部４１は、取得したイベント情報を処理部４２へ出力する。
【００９０】
処理部４２は、系統側取得部４１から受けたイベント情報に基づいて、イベント通知を作成し、作成したイベント通知を機器側通知部４３へ出力する。上述のように、イベント情報の示す節電イベントの内容と、イベント通知の示す節電イベントの内容とは同じであってもよいし、異なっていてもよい。
【００９１】
機器側通知部４３は、処理部４２から受けたイベント通知を自己の電力需要施設１３における各機器３２に送信する。
【００９２】
機器側取得部４５は、イベント通知の示す節電イベントへの参加の有無を示す応答通知を各機器３２から応答通知を取得し、取得した応答通知を処理部４２へ出力する。
【００９３】
処理部４２は、系統側取得部４１から受けたイベント情報、および機器側取得部４５から受けた各機器３２の応答通知に基づいて、イベント情報の示す節電イベントへの参加の有無を判断する。つまり、処理部４２は、各機器３２がイベント通知の示す節電イベントに参加するか否かに基づいて、電力需要施設１３がイベント情報の示す節電イベントに参加するか否かを判断する。
【００９４】
具体的には、たとえば、処理部４２は、各機器３２からの応答通知に基づいて、イベント情報の示す抑制目標の達成の可否を判断し、判断結果に基づいてイベント情報の示す節電イベントへの参加の有無を判断する。
【００９５】
たとえば、記憶部４９は、電力需要施設１３における各機器３２の通常運転時の消費電力および節電運転時の消費電力を記憶している。処理部４２は、参加機器Ｐが節電対象期間において節電運転を行い、かつ不参加機器Ｎが節電対象期間において通常運転を行った場合の消費電力量の合計値を算出する。
【００９６】
処理部４２は、算出した合計値、つまり電力需要施設１３における節電対象期間の消費電力量の予測値に基づいて、イベント情報の示す抑制目標の達成の可否を判断し、当該抑制目標を達成可能と判断した場合、電力需要施設１３を節電イベントに参加させると判断する。そして、処理部４２は、判断結果を示す応答情報を作成し、作成した応答情報を系統側通知部４４へ出力する。
【００９７】
系統側通知部４４は、処理部４２から受けた応答情報をアグリゲータ１２の電力消費管理装置２２、つまり電力系統側に通知する。
【００９８】
また、処理部４２は、参加通知を作成し、作成した参加通知を機器側通知部４３へ出力する。機器側通知部４３は、処理部４２から受けた参加通知を各機器３２へ送信する。
【００９９】
表示部４８は、たとえばタッチパネルである。出力制御部４６は、処理部４２から各種情報を取得して、取得した情報を表示部４８に出力すなわち表示する制御を行う。
【０１００】
受付部４７は、たとえば需要家１０が表示部４８に対して行った入力を受け付け、受け付けた入力を処理部４２に通知する。
【０１０１】
処理部４２は、たとえば、需要家１０の入力に基づいて、イベント情報の示す節電イベントへの参加の有無を判断することができる。
【０１０２】
なお、本発明の第１の実施の形態に係る需要家装置３１では、処理部４２は、電力需要施設１３における節電対象期間の消費電力量の予測値に基づいてイベント情報の示す抑制目標の達成の可否を判断し、判断結果に基づいてイベント情報の示す節電イベントへの参加の有無を判断する構成であるとしたが、これに限定するものではない。たとえば、処理部４２は、各機器３２からの応答通知の示す参加の有無の多数決により、イベント情報の示す節電イベントへの参加の有無を判断する構成であってもよい。
【０１０３】
具体的には、たとえば、処理部４２は、参加機器Ｐおよび不参加機器Ｎをそれぞれカウントし、参加機器Ｐが不参加機器Ｎより多い場合に、電力需要施設１３を節電イベントに参加させると判断する。
【０１０４】
また、系統側通知部４４は、イベント通知の示すイベントに参加する機器３２の数と、イベント通知の示すイベントに参加しない機器３２の数とが同じ場合、受付部４７によって受け付けられた入力に基づいて、イベント情報に対する応答情報をアグリゲータ１２、つまり電力系統側に通知する。
【０１０５】
具体的には、たとえば、処理部４２は、参加機器Ｐの数と不参加機器Ｎの数とが同じである場合、参加機器Ｐの数と不参加機器Ｎの数とが同じである旨を示す情報を出力制御部４６へ出力する。出力制御部４６は、処理部４２から受けた当該情報の内容を表示部４８に表示するための画像信号を生成し、生成した画像信号を表示部４８へ出力する。
【０１０６】
需要家１０は、表示部４８の表示を確認して、表示部４８に対してタップ等の操作を行うことにより、電力需要施設１３を節電イベントに参加させる旨を需要家装置３１に入力する。
【０１０７】
受付部４７は、表示部４８に対して行われた入力、つまりイベント情報の示す節電イベントへの参加の有無に関する入力を受け付け、受け付けた内容を処理部４２に通知する。
【０１０８】
処理部４２は、受付部４７からの通知を受けると、イベント情報の示す節電イベントに参加する旨の応答情報を作成し、作成した応答情報を系統側通知部４４へ出力する。
【０１０９】
系統側通知部４４は、受付部４７によって受け付けられた需要家１０の入力に基づいて、イベント情報に対する応答情報を電力系統側に通知する。具体的には、系統側通知部４４は、処理部４２から受けた応答情報をアグリゲータ１２の電力消費管理装置２２に通知する。
【０１１０】
また、処理部４２は、他の方法によってイベント情報の示す節電イベントへの参加の有無を判断する構成であってもよい。
【０１１１】
たとえば、処理部４２は、各機器３２に重みを付与する。そして、処理部４２は、イベント通知の示す節電イベントに参加する機器３２すなわち参加機器Ｐの重み、およびイベント通知の示す節電イベントに参加しない機器３２すなわち不参加機器Ｎの重みに基づいて、イベント情報の示す節電イベントへの参加の有無を判断する。
【０１１２】
具体的には、たとえば、処理部４２は、各参加機器Ｐの重みの和と、各不参加機器Ｎの重みの和とを比較して、各参加機器Ｐの重みの和が各不参加機器Ｎの重みの和より大きい場合、イベント情報の示す節電イベントに参加すると判断する。
【０１１３】
たとえば、処理部４２が、機器３２である機器３２Ａ，３２Ｂ，３２Ｃ，３２Ｄのうち、機器３２Ａに重み「２」を付与し、機器３２Ｂに重み「３」を付与し、機器３２Ｃに重み「２」を付与し、機器３２Ｄに重み「１」を付与したとする。また、この場合において、機器３２Ａおよび機器３２Ｂが参加機器Ｐであり、機器３２Ｃおよび機器３２Ｄが不参加機器Ｎであるとする。
【０１１４】
このとき、各参加機器Ｐの重みの和は２＋３＝５であり、各不参加機器Ｎの重みの和は２＋１＝３である。このように各参加機器Ｐの重みの和が各不参加機器Ｎの重みの和より大きい場合、処理部４２は、イベント情報の示す節電イベントに参加すると判断する。
【０１１５】
また、処理部４２は、他の方法によってイベント情報の示す節電イベントへの参加の有無を判断する構成であってもよい。
【０１１６】
たとえば、処理部４２は、複数の機器３２のうち、所定の機器３２が参加機器Ｐである場合に、電力需要施設１３をイベント情報の示す節電イベントに参加させると判断してもよい。たとえば、当該所定の機器３２は、電力需要施設１３における各機器３２のうち、消費電力が特に大きい１または複数の機器３２である。
【０１１７】
ところで、需要家装置は、電力消費管理事業者つまりアグリゲータ１２から通知された節電イベントの示す抑制すべき電力消費量を自己の電力需要施設１３において達成可能と判断した場合、当該節電イベントに参加すると決定し、決定した旨を電力消費管理事業者に通知する。
【０１１８】
電力消費管理事業者は、各電力需要施設１３における需要家装置からの通知に基づいて、電力会社等からの要請に対応可能か否かを判断するため、各需要家装置には適切な判断が求められる。
【０１１９】
これに対し、本発明の第１の実施の形態に係る需要家装置では、系統側取得部４１は、節電イベントを示すイベント情報を電力系統側から取得する。機器側通知部４３は、系統側取得部４１によって取得されたイベント情報に基づくイベント通知を電力需要施設１３における機器３２に与える。機器側取得部４５は、イベント通知の示す節電イベントへの参加の有無を示す応答通知を機器３２から取得する。処理部４２は、機器側取得部４５によって取得された応答通知に基づいて、イベント情報の示す節電イベントへの参加の有無を判断する。系統側通知部４４は、処理部４２による判断結果を示す応答情報を電力系統側に通知する。
【０１２０】
このような構成により、電力需要施設１３において設置された機器３２の節電イベントへの参加または不参加の判断結果を用いて、電力需要施設１３の節電イベントへの参加または不参加を判断することができる。具体的には、たとえば、節電イベントに参加すると判断した機器３２の数または種類等に基づいて電力需要施設１３の節電イベントへの参加または不参加を決定することができる。
【０１２１】
したがって、本発明の第１の実施の形態に係る需要家装置では、節電イベントに参加するか否かをより的確に判断することができる。
【０１２２】
また、本発明の第１の実施の形態に係る需要家装置では、処理部４２は、複数の機器３２からの応答通知の示す参加の有無の多数決によりイベント情報の示す節電イベントへの参加の有無を判断する。
【０１２３】
このような構成により、節電イベントに参加しないと判断した機器３２より節電イベントに参加すると判断した機器３２の方が多いという適切な場合において、電力需要施設１３を節電イベントに参加させることができる。
【０１２４】
また、本発明の第１の実施の形態に係る需要家装置では、受付部４７は、イベント情報の示す節電イベントへの参加の有無に関する入力を受け付ける。系統側通知部４４は、イベント通知の示す節電イベントに参加する機器３２の数と、節電イベントに参加しない機器３２の数とが同じ場合、受付部４７によって受け付けられた入力に基づいてイベント情報に対する応答情報を電力系統側に通知する。
【０１２５】
このような構成により、節電イベントへの参加の有無の多数決では当該参加の有無を判断できない場合に、電力需要施設１３を節電イベントに参加させるか否かを需要家の意思により決定することができる。
【０１２６】
また、本発明の第１の実施の形態に係る需要家装置では、処理部４２は、イベント通知の示す節電イベントに参加する機器３２に付与された重み、およびイベント通知の示す節電イベントに参加しない機器３２に付与された重みに基づいて、イベント情報の示す節電イベントへの参加の有無を判断する。
【０１２７】
このような構成により、たとえば、消費電力に応じて各機器３２に付与された重みを用いて、節電イベントに参加するか否かをより的確に判断することができる。
【０１２８】
次に、本発明の他の実施の形態について図面を用いて説明する。なお、図中同一または相当部分には同一符号を付してその説明は繰り返さない。
【０１２９】
＜第２の実施形態＞
本実施の形態は、本発明の第１の実施の形態に係る電力消費管理システムと比べて、需要家装置が各機器から消費電力の予測値を取得する電力消費管理システムに関する。以下で説明する内容以外は第１の実施の形態に係る電力消費管理システムと同様である。
【０１３０】
具体的には、本実施の形態では、需要家装置３１は、たとえば、電力需要施設１３における各機器３２の通常運転時の消費電力および節電運転時の消費電力を記憶していない。需要家装置３１は、電力需要施設１３の各機器３２から節電対象期間において通常運転を行った場合の消費電力の予測値と、節電期間において節電運転を行った場合の消費電力の予測値とを取得する。そして、需要家装置３１は、取得したこれらの予測値に基づいて、イベント情報の示す抑制目標を節電対象期間において達成可能か否かの判断を行う。
【０１３１】
図６は、本発明の第２の実施の形態に係る電力消費管理システムにおける電力消費管理処理のシーケンスの一例を示す図である。
【０１３２】
本発明の第２の実施の形態に係る電力消費管理システム１０２における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１３３】
図６を参照して、電力消費管理システム１０２において、まず、電力消費管理装置２２は、電力会社装置２１から要請情報を受信すると（ステップＳ５１）、受信した要請情報に基づいてイベント情報を作成し、作成したイベント情報を需要家装置３１へ送信する（ステップＳ５２）。この例では、要請情報は、抑制目標として、節電対象期間において消費電力を２０％抑えることを示す。
【０１３４】
ステップＳ５３〜Ｓ６１の動作は、図３におけるステップＳ１３〜Ｓ２１の動作と同様である。
【０１３５】
次に、需要家装置３１は、機器３２Ａ，３２Ｂ，３２Ｃから応答通知を受信して、機器３２Ａ，３２Ｂ，３２Ｃへ通常予測要求を送信する（ステップＳ６２〜Ｓ６４）。通常予測要求は、機器３２に後述の通常予測情報を要求するための情報である。
【０１３６】
次に機器３２Ａ，３２Ｂ，３２Ｃは、需要家装置３１から通常予測要求を受信して、節電対象期間において通常運転を行った場合における、自己の消費電力の予測値を示す通常予測情報を需要家装置３１へ送信する。以下、節電対象期間において通常運転を行った場合の消費電力の予測値を通常消費電力とも称する。
【０１３７】
この例では、機器３２Ａが、通常消費電力が３００Ｗであることを示す通常予測情報を送信し、機器３２Ｂが、通常消費電力が１００Ｗであることを示す通常予測情報を送信し、機器３２Ｃが、通常消費電力が５００Ｗであることを示す通常予測情報を送信する。
【０１３８】
なお、需要家装置３１は、機器３２Ａ，３２Ｂ，３２Ｃから応答通知を受信して、機器３２Ａ，３２Ｂ，３２Ｃへ通常予測要求を送信する構成であるとしたが、これに限定するものではなく、機器３２Ａ，３２Ｂ，３２Ｃへ通常予測要求を送信しない構成であってもよい。この場合、機器３２Ａ，３２Ｂ，３２Ｃは、たとえば、需要家装置３１へ応答通知を送信した後（ステップＳ５９〜Ｓ６１）、所定時間内に通常予測情報を需要家装置３１へ送信する。
【０１３９】
次に、需要家装置３１は、機器３２Ａ，３２Ｂ，３２Ｃから通常予測情報を受信して、受信した各通常予測情報に基づいて、機器３２Ａ，３２Ｂ，３２Ｃの通常消費電力の通常予測情報の総和（以下、全体通常電力とも称する。）を算出する。ここで、全体通常電力は、３００Ｗ＋１００Ｗ＋５００Ｗ＝９００Ｗである。
【０１４０】
次に、需要家装置３１は、機器３２Ａ，３２Ｂ，３２Ｃへ抑制予測要求を送信する（ステップＳ６８〜Ｓ７０）。抑制予測要求は、機器３２に後述の予測抑制情報を要求するための情報である。
【０１４１】
機器３２Ａ，３２Ｂ，３２Ｃは、需要家装置３１から抑制予測要求を受信して、節電対象期間において自己が抑制する消費電力の予測値を示す予測抑制情報を需要家装置３１へ送信する。以下、電力需要施設１３が節電イベントに参加した場合において、機器３２が抑制する消費電力の予測値を予測抑制電力とも称する。
【０１４２】
この例では、節電イベントに参加する旨の応答情報を送信した機器３２Ａおよび機器３２Ｃの予測抑制電力は、それぞれ、５０Ｗおよび２００Ｗである。また、節電イベントに参加しない旨の応答情報を送信した機器３２Ｂの予測抑制電力は０Ｗである。
【０１４３】
つまり、予測抑制情報は、応答通知と同様に、イベント通知の示す節電イベントへの参加の有無を示す情報である。具体的には、予測抑制情報は、たとえば、当該予測抑制情報の示す予測抑制電力が０Ｗの場合、機器３２がイベント通知の示す節電イベントに参加しないことを示し、当該予測抑制情報の示す予測抑制電力が０Ｗより大きい場合、機器３２がイベント通知の示す節電イベントに参加することを示す。
【０１４４】
なお、需要家装置３１は、機器３２Ａ，３２Ｂ，３２Ｃから通常予測情報を受信して、機器３２Ａ，３２Ｂ，３２Ｃへ抑制予測要求を送信する構成であるとしたが、これに限定するものではなく、機器３２Ａ，３２Ｂ，３２Ｃへ抑制予測要求を送信しない構成であってもよい。この場合、機器３２Ａ，３２Ｂ，３２Ｃは、たとえば、需要家装置３１へ通常予測情報を送信した後（ステップＳ６５〜Ｓ６７）、所定時間内に予測抑制情報を需要家装置３１へ送信する。
【０１４５】
次に、需要家装置３１は、機器３２Ａ，３２Ｂ，３２Ｃから予測抑制情報を受信して、受信した予測抑制情報に基づいて、予測抑制電力の総和（以下、全体抑制電力とも称する。）を算出する。ここで、全体抑制電力は、５０Ｗ＋０Ｗ＋２００Ｗ＝２５０Ｗである。
【０１４６】
そして、需要家装置３１は、判断処理Ｇとして、全体通常電力および全体抑制電力に基づいて、イベント情報の示す抑制目標を節電対象期間において達成可能か否かを判断する。
【０１４７】
具体的には、イベント情報の示す抑制目標は、上述のように、節電対象期間において消費電力を２０％抑えることである。全体通常電力に対する全体抑制電力の割合は、２５０Ｗ／９００Ｗ＝２８％であるため、需要家装置３１は、イベント情報の示す抑制目標を節電対象期間において達成可能であると判断する。
【０１４８】
次に、需要家装置３１は、イベント情報の示す節電イベントへの参加の有無を示す応答情報を電力消費管理装置２２へ送信する（ステップＳ７５）。この例では、需要家装置３１は、節電イベントに参加する旨の応答情報を電力消費管理装置２２へ送信する。
【０１４９】
ステップＳ７６〜Ｓ８０の動作は、図３におけるＳ２４〜Ｓ２８の動作と同様である。
【０１５０】
なお、予測抑制情報は、上述のように、イベント通知の示す節電イベントへの参加の有無を示す情報でもある。このため、需要家装置３１、具体的には、需要家装置３１における機器側取得部４５は、機器３２から送信された予測抑制情報を、当該機器３２からの応答通知として取得してもよい。
【０１５１】
図５は、本発明の第２の実施の形態に係る需要家装置の構成も示している。
【０１５２】
図５を参照して、機器側取得部４５は、各機器３２から送信された応答通知を取得し、取得した応答通知を処理部４２へ出力する。処理部４２は、機器側取得部４５から応答通知を受けると、通常予測情報を機器３２に要求するための通常予測要求を作成し、作成した通常予測要求を機器側通知部４３へ出力する。機器側通知部４３は、処理部４２から受けた通常予測要求を各機器３２に通知する。
【０１５３】
機器側取得部４５は、各機器３２から送信された通常予測情報を取得し、取得した通常予測情報を処理部４２へ出力する。処理部４２は、機器側取得部４５から通常予測情報を受けると、各通常予測情報に基づいて、全体通常電力を算出する。そして、機器側取得部４５は、予測抑制情報を機器３２に要求するための抑制予測要求を作成し、作成した抑制予測要求を機器側通知部４３へ出力する。機器側通知部４３は、処理部４２から受けた抑制予測要求を各機器３２へ送信する。
【０１５４】
機器側取得部４５は、各機器３２から送信された予測抑制情報を取得する。予測抑制情報は、イベント通知の示す節電イベントの期間つまり節電対象期間における機器３２の電力消費の抑制内容の予測値を示す。具体的には、予測抑制情報は、節電対象期間において機器３２が抑制する消費電力の予測値を示す。
【０１５５】
なお、予測抑制情報は、たとえば、機器３２の通常の消費電力に対する、節電対象期間において抑制する消費電力の割合の予測値を示してもよいし、節電対象期間において電力消費を抑制した結果である消費電力の予測値を示してもよい。また、抑制情報は、電力に限らず電力量によって抑制内容の予測値を示してもよい。機器側取得部４５は、取得した予測抑制情報を処理部４２へ出力する。
【０１５６】
処理部４２は、機器側取得部４５から受けた予測抑制情報に基づいてイベント情報の示す節電イベントへの参加の有無を判断する。具体的には、処理部４２は、予測抑制情報に基づいて全体抑制電力を算出する。そして、処理部４２は、算出した全体抑制電力および全体通常電力に基づいて、イベント情報の示す抑制目標を節電対象期間において達成可能か否かを判断する。処理部４２は、イベント情報の示す抑制目標を節電対象期間において達成可能であると判断した場合、イベント情報の示す節電イベントに電力需要施設１３を参加させると判断する。
【０１５７】
そして、処理部４２は、判断結果を示す応答情報を作成し、作成した応答情報を系統側通知部４４へ出力する。
【０１５８】
系統側通知部４４は、処理部４２から受けた応答情報を電力消費管理装置２２すなわちアグリゲータ１２つまり電力系統側に通知する。
【０１５９】
なお、本発明の第２の実施の形態に係る電力消費管理システム１０２では、機器３２は、判断処理Ｉの後、応答通知、通常予測情報および予測抑制情報を別個に需要家装置３１へ送信する構成であるとしたが、これに限定するものではない。
【０１６０】
具体的には、たとえば、機器３２は、判断処理Ｉの後、通常予測情報および予測抑制情報を含む応答情報を需要家装置３１へ送信する構成であってもよい。たとえば、機器３２は、イベント通知の示す節電イベントに参加しないと判断した場合、通常予測情報、および、予測抑制電力が０Ｗであることを示す予測抑制情報を含む応答情報を送信する。
【０１６１】
需要家装置３１において、機器側取得部４５は、イベント通知の示す節電対象期間における機器３２の電力消費の抑制内容の予測を含む応答通知、つまり予測抑制情報を含む応答通知を取得する。具体的には、機器側取得部４５は、通常予測情報および予測抑制情報を含む応答情報を各機器３２から取得し、取得した応答情報を処理部４２へ出力する。
【０１６２】
処理部４２は、機器側取得部４５から受けた各機器３２の応答通知に基づいてイベント情報の示す節電イベントへの参加の有無を判断する。具体的には、処理部４２は、各応答情報に含まれる通常予測情報に基づいて全体通常電力を算出し、各応答情報に含まれる予測抑制情報に基づいて全体抑制電力を算出する。
【０１６３】
そして、処理部４２は、算出した全体通常電力および全体抑制電力に基づいて、イベント情報の示す抑制目標を節電対象期間において達成可能か否かを判断する。処理部４２は、イベント情報の示す抑制目標を節電対象期間において達成可能であると判断した場合、イベント情報の示す節電イベントに電力需要施設１３を参加させると判断する。
【０１６４】
以上のように、本発明の第２の実施の形態に係る需要家装置では、イベント情報は、電力消費の抑制目標を含む。処理部４２は、イベント情報および応答通知に基づいて抑制目標の達成の可否を判断し、判断結果に基づいてイベント情報の示す節電イベントへの参加の有無を判断する。
【０１６５】
このような構成により、たとえば、節電イベントに参加すると判断した機器３２における電力の抑制量が電力消費の抑制目標に達すると予測される場合に電力需要施設１３を節電イベントに参加させることができるため、節電イベントに参加するか否かをより的確に判断することができる。
【０１６６】
また、本発明の第２の実施の形態に係る需要家装置では、機器側取得部４５は、イベント通知の示す節電イベントの期間における機器３２の電力消費の抑制内容の予測を含む応答通知を取得する。処理部４２は、イベント情報および応答通知に基づいてイベント情報の示す節電イベントへの参加の有無を判断する。
【０１６７】
このような構成により、たとえば、機器３２によって予測された、当該機器３２における電力消費の抑制量から電力消費の抑制目標を達成できるか否かを判断することができるため、節電イベントに参加するか否かをより的確に判断することができる。
【０１６８】
その他の構成および動作は第１の実施の形態に係る電力消費管理システムと同様であるため、ここでは詳細な説明を繰り返さない。
【０１６９】
次に、本発明の他の実施の形態について図面を用いて説明する。なお、図中同一または相当部分には同一符号を付してその説明は繰り返さない。
＜第３の実施形態＞
本実施の形態は、本発明の第１の実施の形態に係る電力消費管理システムと比べて、イベント情報の内容が異なる電力消費管理システムに関する。以下で説明する内容以外は第１の実施の形態に係る電力消費管理システムと同様である。
【０１７０】
図７は、本発明の第３の実施の形態に係る電力消費管理システムにおけるイベント情報の内容を示す図である。
【０１７１】
イベント情報は、電気料金プラン、たとえば、１日のうちの電力量の単価の推移を示す。具体的には、図７を参照して、電力量の単価は、０時から１２時までの間、および１５時から２４時までの間において、Ｃ１［円／ｋＷｈ］であり、１２時から１５時までの間において、Ｃ１［円／ｋＷｈ］より高いＣ２［円／ｋＷｈ］である。イベント情報に含まれる電気料金プランでは、電力量の単価の安い時間帯と高い時間帯とがある。以下、イベント情報の示す電気料金プランをイベント料金プランとも称し、イベント料金プランにおいて電力量の単価の高い時間帯たとえば１２時から１５時までの間を高単価時間帯とも称する。
【０１７２】
電力需要施設１３では、たとえば、通常、電力の単価が時間帯に依らず一定である電気料金プランが採用されている。需要家装置３１は、電力消費管理装置２２からイベント情報を受信すると、イベント料金プランを採用した方が、通常よりも電気料金が安くなるか否かを判断する。
【０１７３】
そして、需要家装置３１は、イベント料金プランを採用した方が、通常よりも電気料金が安くなると判断した場合、電力需要施設１３をイベント情報の示す節電イベントに参加させる。つまり、需要家装置３１は、通常の電気料金プランの代わりにイベント料金プランを採用した方が、通常よりも電気料金が安くなると判断した場合、電力需要施設１３に適用される電気料金プランを通常の電気料金プランからイベント料金プランに一時的に変更する。
【０１７４】
図３は、本発明の第３の実施の形態に係る電力消費管理システムにおける電力消費管理処理のシーケンスの一例も示している。
【０１７５】
本発明の第３の実施の形態に係る電力消費管理システム１０３における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１７６】
図３を参照して、まず、電力消費管理システム１０３では、電力消費管理装置２２は、電力会社装置２１から要請情報を受信すると（ステップＳ１１）、受信した要請情報に基づいてイベント情報を作成し、作成したイベント情報を需要家装置３１へ送信する（ステップＳ１２）。当該イベント情報は、たとえばイベント料金プランを含む。
【０１７７】
次に、需要家装置３１は、電力消費管理装置２２からイベント情報を受信して、受信したイベント情報の内容を示す通知であるイベント通知を機器３２Ａ，３２Ｂ，３２Ｃへ送信する（ステップＳ１３〜Ｓ１５）。
【０１７８】
次に、機器３２Ａ，３２Ｂ，３２Ｃは、需要家装置３１からイベント通知を受信して、受信したイベント通知に基づいて判断処理Ｉを行う（ステップＳ１６〜Ｓ１８）。
【０１７９】
具体的には、機器３２Ａ，３２Ｂ，３２Ｃは、判断処理Ｉとして、高単価時間帯に電力消費を抑えることができるか否か、つまり節電運転を行うことができるか否かを判断する。
そして、機器３２Ａ，３２Ｂ，３２Ｃは、高単価時間帯に節電運転を行うことができる場合、イベント通知の示す節電イベントに参加すると判断する。
【０１８０】
次に、機器３２Ａ，３２Ｂ，３２Ｃは、需要家装置３１から受信したイベント通知の示す節電イベントへの参加の有無を示す応答通知を需要家装置３１へ送信する（ステップＳ１９〜２１）。機器３２は、たとえば、イベント通知の示す節電イベントに参加する旨の応答通知を送信する場合、高単価時間帯において抑制可能な電力の予測値を示す予測抑制情報を応答通知に含めて送信する。
【０１８１】
この例では、機器３２Ａ，３２Ｃは、節電イベントに参加する旨の応答通知を送信し、機器３２Ｂは、節電イベントに参加しない旨の応答通知を送信する。
【０１８２】
次に、需要家装置３１は、機器３２Ａ，３２Ｂ，３２Ｃから応答通知を受信して、判断処理Ｇを行う（ステップＳ２２）。具体的には、需要家装置３１は、判断処理Ｇとして、イベント料金プランを選択する場合の電力需要施設１３における電気料金の方がイベント料金プランを選択しない場合の電力需要施設１３における電気料金よりも安くなるか否かの判断を行う。
【０１８３】
より具体的には、需要家装置３１は、機器３２Ａ，３２Ｂ，３２Ｃから受信した応答通知のうち、節電イベントに参加する旨の応答通知に含まれる予測抑制情報と、記憶部４９の記憶する各機器３２の通常運転時の消費電力と、イベント情報に含まれるイベント料金プランとに基づいて当該判断を行う。
【０１８４】
そして、需要家装置３１は、イベント料金プランを選択する場合の電力需要施設１３における電気料金の方がイベント料金プランを選択しない場合の電力需要施設１３における電気料金よりも安くなると判断した場合、イベント情報の示す節電イベントに参加すると判断する。
【０１８５】
次に、需要家装置３１は、イベント情報の示す節電イベントへの参加の有無を示す応答情報を電力消費管理装置２２へ送信する（ステップＳ２３）。この例では、需要家装置３１は、節電イベントに参加する旨の応答情報を電力消費管理装置２２へ送信する。
【０１８６】
図５は、本発明の実施の形態に係る需要家装置の構成も示している。
【０１８７】
図５を参照して、系統側取得部４１は、節電イベントとしてイベント料金プランを含むイベント情報を電力消費管理装置２２つまりアグリゲータ１２つまり電力系統側から取得し、取得したイベント情報を処理部４２へ出力する。
【０１８８】
処理部４２は、たとえば、系統側取得部４１から受けたイベント情報の内容すなわちイベント料金プランを含むイベント通知を作成し、作成したイベント通知を機器側通知部４３へ出力する。なお、イベント通知は、イベント料金プランに限らず、たとえば高単価時間帯を示す情報を含む通知であってもよい。
【０１８９】
機器側通知部４３は、処理部４２から受けたイベント通知を自己の電力需要施設１３における各機器３２に与える。
【０１９０】
機器側取得部４５は、イベント通知の示す節電イベントへの参加の有無を示す応答通知を各機器３２から応答通知を取得し、取得した応答通知を処理部４２へ出力する。節電イベントに参加する旨の応答通知には、予測抑制情報が含まれている。
【０１９１】
処理部４２は、機器側取得部４５から受けた応答通知に基づいて、イベント情報の示す節電イベントへの参加の有無、つまり電力需要施設１３にイベント料金プランを適用するか否かを判断する。
【０１９２】
具体的には、処理部４２は、たとえば、節電イベントに参加する旨の応答通知に含まれる予測抑制情報と、記憶部４９の記憶する各機器３２の通常運転時の消費電力と、イベント情報に含まれるイベント料金プランとに基づいて、電力需要施設１３の現在の電気料金プランの代わりにイベント料金プランを選択する場合の電力需要施設１３における電気料金の方が、イベント料金プランを選択しない場合の電力需要施設１３における電気料金よりも安くなるか否かの判断を行う。
【０１９３】
処理部４２は、イベント料金プランを選択する場合の電力需要施設１３における電気料金の方が安くなると判断した場合、イベント情報の示す節電イベントに参加すると決定する。そして、処理部４２は、当該決定の内容を示す応答情報を作成し、作成した応答情報を系統側通知部４４へ出力する。
【０１９４】
系統側通知部４４は、処理部４２から受けた応答情報を電力消費管理装置２２すなわちアグリゲータ１２つまり電力系統側に通知する。
【０１９５】
また、処理部４２は、参加通知を作成し、作成した参加通知を機器側通知部４３へ出力する。機器側通知部４３は、処理部４２から受けた参加通知を各機器３２へ送信する。
【０１９６】
以上のように、本発明の第３の実施の形態に係る需要家装置では、処理部４２は、イベント情報に含まれる電力料金プランを選択する場合の電力需要施設１３における電力料金の方が電力料金プランを選択しない場合の電力需要施設１３における電力料金よりも安くなる場合、イベント情報の示す節電イベントへの参加を決定する。
【０１９７】
このような構成により、電力需要施設１３を節電イベントに参加させるか否かを経済的な観点から決定することができる。
【０１９８】
その他の構成および動作は第１の実施の形態に係る電力消費管理システムと同様であるため、ここでは詳細な説明を繰り返さない。
【０１９９】
次に、本発明の他の実施の形態について図面を用いて説明する。なお、図中同一または相当部分には同一符号を付してその説明は繰り返さない。
【０２００】
＜第４の実施の形態＞
本実施の形態は、本発明の第１の実施の形態に係る電力消費管理システムと比べて、需要家１０が、電力需要施設を節電イベントに参加させるか否かを判断する電力消費管理システムに関する。以下で説明する内容以外は第１の実施の形態に係る電力消費管理システムと同様である。
【０２０１】
図８は、本発明の第４の実施の形態に係る電力消費管理システムにおける電力消費管理処理のシーケンスの一例を示す図である。
【０２０２】
本発明の第４の実施の形態に係る電力消費管理システム１０４における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０２０３】
図８を参照して、電力消費管理システム１０４において、ステップＳ２１１〜Ｓ２２１の動作は、図３におけるステップＳ１１〜Ｓ２１の動作と同様である。
【０２０４】
次に、需要家装置３１は、機器３２Ａ，３２Ｂ，３２Ｃから応答通知を受信すると、たとえば、電力消費管理装置２２から受信したイベント情報の内容と、機器３２Ａ，３２Ｂ，３２Ｃから受信した応答通知の内容とを自己のタッチパネルに出力する制御を行う（ステップＳ２２２）。当該タッチパネルには、イベント情報の内容および応答通知の内容が表示される。
【０２０５】
なお、需要家装置３１は、イベント情報の内容および応答通知の内容をたとえばタッチパネルを備える他の装置へ出力する構成であってもよい。
【０２０６】
次に、需要家１０は、需要家装置３１のタッチパネルの表示を確認して、電力需要施設１３をイベント情報の示す節電イベントに参加させるか否かを判断し、需要家装置３１のタッチパネルに対してタップ等の操作を行うことにより、判断結果を需要家装置３１に入力する。
【０２０７】
次に、需要家装置３１は、イベント情報の示す節電イベントへの参加の有無に関する入力を受け付ける（ステップＳ２３３）。
【０２０８】
次に、需要家装置３１は、受け付けた入力に基づいて、イベント情報に対する応答情報を電力消費管理装置２２つまり電力系統側に通知する。具体的には、たとえば、需要家装置３１は、電力需要施設１３を節電イベントに参加させる旨の入力を受け付けた場合、イベント情報の示す節電イベントに参加する旨の応答情報を需要家装置３１へ送信する（ステップＳ２２４）。
【０２０９】
ステップＳ２２５〜Ｓ２２９の動作は、図３におけるステップＳ２４〜Ｓ２８の動作と同様である。
【０２１０】
図５は、本発明の第４の実施の形態に係る需要家装置の構成も示している。
【０２１１】
図５を参照して、機器側取得部４５は、イベント通知の示す節電イベントへの参加の有無を示す応答通知を各機器３２から取得し、取得した各機器３２の応答通知を処理部４２へ出力する。
【０２１２】
系統側取得部４１は、節電イベントを示すイベント情報を電力系統側つまり電力消費管理装置２２から取得し、取得したイベント情報を処理部４２へ出力する。
【０２１３】
処理部４２は、機器側取得部４５から受けた各応答通知の内容および系統側取得部４１から受けたイベント情報の内容を示す画像情報を作成し、作成した画像情報を出力制御部４６へ出力する。
【０２１４】
出力制御部４６は、機器側取得部４５によって取得された応答通知の内容を表示部４８に出力する制御を行う。具体的には、出力制御部４６は、応答通知の内容を表示部４８に表示する制御を行う。より具体的には、出力制御部４６は、処理部４２から受けた画像情報の内容を表示部４８に表示するための画像信号を生成し、生成した画像信号を表示部４８へ出力する。表示部４８は、たとえばタッチパネルである。
【０２１５】
なお、出力制御部４６は、応答通知の内容を表示部４８に出力する制御を行う構成に限らず、たとえばタッチパネルを備える他の装置に出力する制御を行う構成であってもよい。たとえば、出力制御部４６は、機器側取得部４５によって取得された応答通知に基づいて情報Ｄを作成し、作成した情報Ｄを機器側通知部４３経由で需要家１０のスマートフォンへ送信する。当該スマートフォンは、需要家装置３１から情報Ｄを受信して、受信した情報Ｄに基づいて、自己のタッチパネルに上記応答通知の内容を表示させる。
【０２１６】
需要家１０は、表示部４８の表示を確認して、表示部４８に対してタップ等の操作を行うことにより、イベント情報の示す節電イベントに電力需要施設１３を参加させるか否かを需要家装置３１に入力する。表示部４８は、需要家１０による入力に応じて電気信号を生成し、生成した電気信号を受付部４７へ出力する。
【０２１７】
受付部４７は、イベント情報の示す節電イベントへの参加の有無に関する入力を受け付ける。具体的には、受付部４７は、表示部４８からの電気信号に基づいて、需要家１０による入力の内容を示す入力情報を作成し、作成した入力情報を処理部４２へ出力する。
【０２１８】
処理部４２は、受付部４７から受けた入力情報の示す、受付部４７によって受け付けられた需要家１０による入力に基づいて、イベント情報に対する応答情報を作成し、作成した応答情報を系統側通知部４４へ出力する。系統側通知部４４は、処理部４２から受けた応答情報を電力系統側、つまり電力消費管理装置２２へ送信する。
【０２１９】
以上のように、本発明の第４の実施の形態に係る需要家装置では、系統側取得部４１は、節電イベントを示すイベント情報を電力系統側から取得する。機器側通知部４３は、系統側取得部４１によって取得されたイベント情報に基づくイベント通知を電力需要施設１３における機器３２に与える。機器側取得部４５は、イベント通知の示す節電イベントへの参加の有無を示す応答通知を機器３２から取得する。出力制御部４６は、機器側取得部４５によって取得された応答通知の内容を出力すなわち表示する制御を行う。受付部４７は、イベント情報の示す節電イベントへの参加の有無に関する入力を受け付ける。系統側通知部４４は、受付部４７によって受け付けられた入力に基づいて、イベント情報に対する応答情報を電力系統側に通知する。
【０２２０】
このような構成により、需要家が、節電イベントに参加すると判断した機器３２と節電イベントに参加しないと判断した機器３２とを確認した上で、電力需要施設１３を節電イベントに参加させるか否かを決定することができる。
【０２２１】
したがって、本発明の第４の実施の形態に係る需要家装置では、節電イベントに参加するか否かをより的確に判断することができる。
【０２２２】
その他の構成および動作は第１の実施の形態に係る電力消費管理システムと同様であるため、ここでは詳細な説明を繰り返さない。
【０２２３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２２４】
以上の説明は、以下に付記する特徴を含む。
【０２２５】
［付記１］
電力需要施設に用いられる需要家装置であって、
節電イベントを示すイベント情報を電力系統側から取得する系統側取得部と、
前記系統側取得部によって取得された前記イベント情報に基づくイベント通知を前記電力需要施設における機器に与える機器側通知部と、
前記イベント通知の示す節電イベントへの参加の有無を示す応答通知を前記機器から取得する機器側取得部と、
前記機器側取得部によって取得された前記応答通知に基づいて、前記イベント情報の示す節電イベントへの参加の有無を判断する判断部と、
前記判断部による判断結果を示す応答情報を前記電力系統側に通知する系統側通知部とを備え、
前記需要家装置は、ＨＥＭＳ（Ｈｏｍｅ  Ｅｎｅｒｇｙ  Ｍａｎａｇｅｍｅｎｔ  Ｓｙｓｔｅｍ）またはＢＥＭＳ（Ｂｕｉｌｄｉｎｇ  Ｅｎｅｒｇｙ  Ｍａｎａｇｅｍｅｎｔ  ＳｙＳｔｅｍ）において用いられ、
前記電力系統側には、複数の前記電力需要施設の消費電力を管理する事業者が含まれる、需要家装置。
【０２２６】
［付記２］
電力需要施設に用いられる需要家装置であって、
節電イベントを示すイベント情報を電力系統側から取得する系統側取得部と、
前記系統側取得部によって取得された前記イベント情報に基づくイベント通知を前記電力需要施設における機器に与える機器側通知部と、
前記イベント通知の示す節電イベントへの参加の有無を示す応答通知を前記機器から取得する機器側取得部と、
前記機器側取得部によって取得された前記応答通知の内容を出力する制御を行う出力制御部と、
前記イベント情報の示す節電イベントへの参加の有無に関する入力を受け付ける受付部と、
前記受付部によって受け付けられた前記入力に基づいて、前記イベント情報に対する応答情報を前記電力系統側に通知する系統側通知部とを備え、
前記需要家装置は、ＨＥＭＳ（Ｈｏｍｅ  Ｅｎｅｒｇｙ  Ｍａｎａｇｅｍｅｎｔ  Ｓｙｓｔｅｍ）またはＢＥＭＳ（Ｂｕｉｌｄｉｎｇ  Ｅｎｅｒｇｙ  Ｍａｎａｇｅｍｅｎｔ  ＳｙＳｔｅｍ）において用いられ、
前記電力系統側には、複数の前記電力需要施設の消費電力を管理する事業者が含まれる、需要家装置。
【符号の説明】
【０２２７】
８  ネットワーク
１０  需要家
１１  電力会社
１２  アグリゲータ
１３  電力需要施設
２１  電力会社装置
２２  電力消費管理装置
３１  需要家装置
３２，３２Ａ，３２Ｂ，３２Ｃ，３２Ｄ  機器
４１  系統側取得部
４２  処理部
４３  機器側通知部
４４  系統側通知部
４５  機器側取得部
４６  出力制御部
４７  受付部
４８  表示部
４９  記憶部
１０１，１０２，１０３，１０４  電力消費管理システム
【図１】
0006464954.tif 000002
【図２】
0006464954.tif 000003
【図３】
0006464954.tif 000004
【図４】
0006464954.tif 000005
【図５】
0006464954.tif 000006
【図６】
0006464954.tif 000007
【図７】
0006464954.tif 000008
【図８】
0006464954.tif 000009